(57)【要約】【課題】スクイジーをウォッシャー一体型掃除用具に改造する方法および改造用部品を提供する。【解決手段】在来のスクイジー１０は、ハンドル１２と、バックプレート１４と、チャンネル１６を２本のねじ１８と２個のナット２０で組み付けて構成される。これを改造する場合は、改造用部品として台座２３付きの芯部材２４と、含浸体２６と、ねじ２８を追加する。ねじ２８は在来のねじ１８に代えて使用される長尺のものである。在来のナット２０は使用しない。ハンドル１２のヘッド部１２ａとバックプレート１４の間にチャンネル１６を挟み込み、ヘッド部１２ａの上面に芯部材２４を配置し、２本のねじ２８をバックプレート１４の下面側からねじ通し穴１４ａ，１２ｃに通して台座２３のねじ穴２３ｃにねじ込んで締め付けて一体化する。芯部材２４に含浸体２６を被せて改造が完了する。ウォッシャー３０をバックプレート１４の下面に配置することもできる。【選択図】図１
2010213732.tif 000002
【特許請求の範囲】
【請求項１】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体を外面に装備する棒状のウォッシャーを用意し、
該ウォッシャーには該ウォッシャーが前記ハンドルの上面側に配置されたときに該ハンドルのヘッド部のねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記ウォッシャーを前記ハンドルのヘッド部の上面に配置し、前記ウォッシャーのねじ穴またはねじ通し穴と前記ハンドルのヘッド部のねじ通し穴と前記バックプレートのねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化する改造方法。
【請求項２】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーを具備し、
該ウォッシャーは、前記ハンドルの上面側に着脱自在に装着されるものであって、前記ハンドルの上面側に配置されたときに該ハンドルのヘッド部のねじ通し穴に対面する少なくとも２箇所の位置にねじ穴またはねじ通し穴を有するものである改造用部品。
【請求項３】
前記ウォッシャーが、剛性を有しかつ前記ねじ穴またはねじ通し穴が形成された棒状の芯部材と、該芯部材に着脱自在に被せられる含浸体とを具備する請求項２記載の改造用部品。
【請求項４】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーの構成部品であって、剛性を有し、前記ハンドルの上面側に着脱自在に装着され、前記含浸体が着脱自在に被せられる棒状の芯部材を具備し、
該芯部材は前記ハンドルの上面側に配置されたときに前記ハンドルのヘッド部のねじ通し穴に対面する少なくとも２箇所の位置にねじ穴またはねじ通し穴を有するものである改造用部品。
【請求項５】
前記芯部材はその下面に、該芯部材の下面と前記ハンドルのヘッド部の上面との間に挟み込まれて該芯部材を該ヘッド部の上面に空隙を隔てて配置する台座を一体に具備し、該台座には前記ねじ穴またはねじ通し穴が形成されている請求項３または４記載の改造用部品。
【請求項６】
前記ねじ穴またはねじ通し穴に差し込むねじとして、改造前のスクイジーにおいて前記ハンドルと前記バックプレートと前記チャンネルを一体化するのに使用されていた前記ねじよりも長尺のねじをさらに具備する請求項２から５のいずれか１つに記載の改造用部品。
【請求項７】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体を外面に装備する棒状のウォッシャーを用意し、
該ウォッシャーには該ウォッシャーが前記バックプレートの下面側に配置されたときに該バックプレートのねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記ウォッシャーを前記バックプレートの下面に配置し、前記ウォッシャーのねじ穴またはねじ通し穴と前記バックプレートのねじ通し穴と前記ハンドルのヘッド部のねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化する改造方法。
【請求項８】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーを具備し、
該ウォッシャーは、前記バックプレートの下面側に着脱自在に装着されるものであって、前記バックプレートの下面側に配置されたときに該バックプレートのねじ通し穴に対面する少なくとも２箇所の位置にねじ穴またはねじ通し穴を有するものである改造用部品。
【請求項９】
前記ウォッシャーが、剛性を有しかつ前記ねじ穴またはねじ通し穴が形成された棒状の芯部材と、該芯部材に着脱自在に被せられる含浸体とを具備する請求項８記載の改造用部品。
【請求項１０】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーの構成部品であって、剛性を有し、前記バックプレートの下面側に着脱自在に装着され、前記含浸体が着脱自在に被せられる棒状の芯部材を具備し、
該芯部材は前記バックプレートの下面側に配置されたときに前記バックプレートのねじ通し穴に対面する少なくとも２箇所の位置にねじ穴またはねじ通し穴を有するものである改造用部品。
【請求項１１】
前記芯部材はその上面に、該芯部材の上面と前記バックプレートの下面との間に挟み込まれて該芯部材を該バックプレートの下面に空隙を隔てて配置する台座を一体に具備し、該台座には前記ねじ穴またはねじ通し穴が形成されている請求項９または１０記載の改造用部品。
【請求項１２】
前記ねじ穴またはねじ通し穴に差し込むねじとして、改造前のスクイジーにおいて前記ハンドルと前記バックプレートと前記チャンネルを一体化するのに使用されていた前記ねじよりも長尺のねじをさらに具備する請求項９から１１のいずれか１つに記載の改造用部品。
【請求項１３】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体をそれぞれ外面に装備する棒状の第１、第２のウォッシャーを用意し、
該第１のウォッシャーには該第１のウォッシャーが前記ハンドルの上面側に配置されたときに該ハンドルのヘッド部のねじ通し穴に対面する少なくとも２箇所の位置にねじ穴またはねじ通し穴を形成し、
該第２のウォッシャーには該第２のウォッシャーが前記バックプレートの下面側に配置されたときに該バックプレートのねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記第１のウォッシャーを前記ハンドルのヘッド部の上面に配置し、前記第２のウォッシャーを前記バックプレートの下面に配置し、前記第１のウォッシャーのねじ穴またはねじ通し穴と前記ハンドルのヘッド部のねじ通し穴と前記バックプレートのねじ通し穴と前記第２のウォッシャーのねじ穴またはねじ通し穴の位置を相互に合わせてねじを通して、前記ハンドルと前記バックプレートと前記第１、第２のウォッシャーを少なくとも２箇所で相互にねじ止めして、該ハンドルと該バックプレートと該チャンネルと該第１、第２のウォッシャーを分解可能に一体化する改造方法。
【発明の詳細な説明】
【技術分野】
【０００１】
この発明は窓の掃除用具であるスクイジーをスクイジー・ウォッシャー一体型掃除用具に改造する方法および改造用部品に関する。
【背景技術】
【０００２】
窓の掃除用具としてスクイジー（水切り）とウォッシャー（濡らし棒）がある。スクイジーはハンドル（把持具）の先端にチャンネル（横棒）を取り付けて構成される。チャンネルにはその長手方向に沿ってラバー（長尺のゴム等の弾性板）が装着される。ラバーの前縁部はチャンネルの前縁部から少し突出する。ウォッシャーはハンドル（把持具）の先端に横棒を取り付けて構成される。横棒には布製等の含浸体（スリーブ）が被せられる。ガラス窓の掃除（洗浄）は、始めに含浸体に洗浄液を含浸させたウォッシャーでガラス表面に洗浄液を塗り広げ、次いでスクイジーでガラス表面から洗浄液を掻き落とすことにより行われる。
【０００３】
スクイジーとウォッシャーを使用した窓の掃除は、例えばスクイジーとウォッシャーを左右の手で別々に持って一方の手でウォッシャーを操作してガラス表面に洗浄液を塗りながら、他方の手でスクイジーを操作してガラス表面から洗浄液を掻き落とすことにより行われる。あるいは片手のみを使用して、始めにウォッシャーを持ってガラス表面に洗浄液を塗り、次いでスクイジーに持ち替えてガラス表面から洗浄液を掻き落とすことにより行うこともできる。スクイジーとウォッシャーを使用して高い位置の窓を掃除する場合は長尺のポールが使用される。すなわちポールの先端にスクイジーとウォッシャーを交互に装着し、ポールの下部を両手で支えてスクイジーまたはウォッシャーを操作する。
【０００４】
前記片手のみを使用してウォッシャーとスクイジーを持ち替えて操作する方法では、ウォッシャーとスクイジーを持ち替えたり、この持ち替えに伴って、使用する方の用具を作業者の腰部に取り付けたバケット（腰袋）から取り出し、代わりに使用しない方の用具をこのバケットに一時的に保管する操作が必要となり作業効率が悪かった。また前記ポールを使用して高い位置の窓を掃除する方法では、ポールの先端にスクイジーとウォッシャーを付け替える操作が必要となり作業効率が悪かった。
【０００５】
そこでこれらの問題点に着目してスクイジーとウォッシャーを一体化したスクイジー・ウォッシャー一体型掃除用具が提案されている。従来のスクイジー・ウォッシャー一体型掃除用具としては例えば下記特許文献に記載されたものがある。また現在市販されているスクイジー・ウォッシャー一体型掃除用具製品もある。スクイジー・ウォッシャー一体型掃除用具によれば、１本のハンドルを、握ったまま半回転させることにより、スクイジー側とウォッシャー側を切り換えて使用することができるので、スクイジーとウォッシャーを持ち替えたり、ポールの先端にスクイジーとウォッシャーを付け替えたりする必要がなくなり、作業効率が向上する。
【先行技術文献】
【特許文献】
【０００６】
【特許文献１】米国特許明細書第２９０４８０６号
【特許文献２】米国特許明細書第３７８９４５１号
【特許文献３】実開昭５２−１３９６７０号公報
【特許文献４】実開昭６０−１６８４４５号公報
【特許文献５】特開２００７−１１７４８８号公報
【特許文献６】特開平９−１４０４５２号公報
【発明の概要】
【発明が解決しようとする課題】
【０００７】
前記各特許文献に記載のあるいは現在市販のスクイジー・ウォッシャー一体型掃除用具はいずれもはじめから一体型として設計されているものである。したがってスクイジー（スクイジー専用品）をすでに所有している者がスクイジー・ウォッシャー一体型掃除用具を新たに欲しい場合には、スクイジー・ウォッシャー一体型掃除用具を別途購入する必要があった。また現在スクイジーを所有していない者であって、スクイジー（スクイジー専用品）とスクイジー・ウォッシャー一体型掃除用具の双方を欲しい者は、これら双方とも購入しなければならなかった。
【０００８】
この発明は上述の点に鑑みてなされたもので、スクイジーをスクイジー・ウォッシャー一体型掃除用具に改造する方法および改造用部品を提供しようとするものである。
【課題を解決するための手段】
【０００９】
この発明の第１の改造方法は、ハンドルと、該ハンドルのヘッド部の下面に配置されるバックプレート（裏板）と、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、洗浄液を含浸させる含浸体を外面に装備する棒状のウォッシャーを用意し、該ウォッシャーには該ウォッシャーが前記ハンドルの上面側に配置されたときに該ハンドルのヘッド部のねじ通し穴に対面する少なくとも２箇所の位置にねじ穴（雌ねじが形成され雄ねじをねじ込む穴）またはねじ通し穴（雄ねじをねじ込まずに通す穴）を形成し、該ハンドルのヘッド部の下面に前記バックプレートを配置し、該ハンドルのヘッド部と該バックプレートの間に前記チャンネルを挟み込み、前記ウォッシャーを前記ハンドルのヘッド部の上面に配置し、前記ウォッシャーのねじ穴またはねじ通し穴と前記ハンドルのヘッド部のねじ通し穴と前記バックプレートのねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化するものである。この発明の第２の改造方法は、ウォッシャーをバックプレートの下面に配置するものである。この発明の第３の改造方法は、ウォッシャーをハンドルのヘッド部の上面とバックプレートの下面にそれぞれ配置するものである。
【００１０】
この改造方法によれば、在来のスクイジーを所有している者は、この発明による改造用部品を購入すれば、スクイジー・ウォッシャー一体型掃除用具に改造することができる。また現在スクイジーを所有していない者であって、スクイジーとスクイジー・ウォッシャー一体型掃除用具の双方を欲しい者は、在来のスクイジーとこの発明による改造用部品を購入すれば、スクイジーとスクイジー・ウォッシャー一体型掃除用具の両方に使うことができる。また現在市販のスクイジー・ウォッシャー一体型掃除用具はハンドルが２本に枝分かれしていてそれぞれスクイジーとウォッシャーを支持するように構成されているので、ハンドルの重量がスクイジー専用品のハンドルに比べて増加し、作業者の負担が大きかったが、この発明の改造方法（特に第１、第２の改造方法）によればスクイジー専用品のハンドルをそのまま利用するので、ハンドルの重量の増加が無く、作業者の負担を軽減することができる。またこの発明の第３の改造方法によればチャンネルの上下両側にウォッシャーが配置されているので、作業形態に応じてウォッシャーを選択して使用することができる。
【図面の簡単な説明】
【００１１】
【図１】この発明の第１の改造方法の実施の形態を示す図で、図２の在来のスクイジーの構成部品と改造用部品を利用してこの発明の改造方法によりスクイジー・ウォッシャー一体型掃除用具に改造する場合の構成部品を示す斜視図である。
【図２】在来のスクイジーの構成部品を示す斜視図である。
【図３】図２の構成部品を組み立てて構成される在来のスクイジーを上面側から見た斜視図である。
【図４】図３のスクイジーを下面側から見た斜視図である。
【図５】図１の芯部材２４に台座２３を取り付ける方法を示す断面図（芯部材２４は短手方向の断面を示す）である。
【図６】図１の構成部品を含浸体を除き組み立てた構造体を示す上面側から見た斜視図である。
【図７】図６の構造体を下面側から見た斜視図である。
【図８】図１の構成部品を組み立てて完成したスクイジー・ウォッシャー一体型掃除用具を示す上面側から見た斜視図である。
【図９】図８のスクイジー・ウォッシャー一体型掃除用具を下面側から見た斜視図である。
【図１０】図９のスクイジー・ウォッシャー一体型掃除用具の断面図である。
【図１１】この発明の第２の改造方法の実施の形態によるスクイジー・ウォッシャー一体型掃除用具３６を図１０と同じ位置で切断した断面図である。
【図１２】この発明の第３の改造方法の実施の形態によるスクイジー・ウォッシャー一体型掃除用具３６を図１０、図１１と同じ位置で切断した断面図である。
【発明を実施するための形態】
【００１２】
《第１の改造方法の実施の形態》
この発明の第１の改造方法の実施の形態を説明する。始めにこの発明の第１の改造方法の改造方法で使用する在来のスクイジーを図２〜図４を参照して説明する。図２は在来のスクイジーの構成部品を示す。図２ではＥＴＴＯＲＥ社製「Ｍａｓｔｅｒ  Ｓｑｕｅｅｇｅｅ」を使用した場合を示しているが、他社製品にも同様の形態のものがある。スクイジー１０は金属製のハンドル（把持具）１２と、金属製のバックプレート（裏板）１４と、金属製のチャンネル（横棒）１６と、２本のねじ１８と、２個のナット２０と、チャンネル１６にその長手方向に沿って装着されたラバー（長尺のゴム等の弾性板）２２とで構成される。
【００１３】
ハンドル１２の先端のヘッド部１２ａは把持部１２ｂに比べて幅広に形成され、２箇所にねじ通し穴１２ｃが形成されている。バックプレート１４にはヘッド部１２ａのねじ通し穴１２ｃに対面する２箇所にねじ通し穴１４ａが形成されている。ハンドル１２のヘッド部１２ａの下面にバックプレート１４を配置し、ヘッド部１２ａとバックプレート１４の間にチャンネル１６を挟み込み、２本のねじ１８をハンドル１２の上面側からねじ通し穴１２ｃ，１４ａに差し込み、バックプレート１４の下面側に突出するねじ１８の端部にそれぞれナット２０をねじ込んで締め付けることにより、ハンドル１２とバックプレート１４は相互に連結されかつハンドル１２のヘッド部１２ａとバックプレート１４の間にチャンネル１６が挟持されて、ハンドル１２とバックプレート１４とチャンネル１６は組み立てられて分解可能に一体化される。図３、図４はこのようにして組み立てられたスクイジー１０を上面側、下面側から見た状態をそれぞれ示す。ラバー２２の前縁部２２ａはガラス表面から洗浄液を掻き落とせるようにチャンネル１６の前縁部１６ａから少し突出している。
【００１４】
次に上記在来のスクイジー１０を改造用部品を使用してスクイジー・ウォッシャー一体型掃除用具に改造する方法について図１、図５〜図１０を参照して説明する。図１は改造したスクイジー・ウォッシャー一体型掃除用具の構成部品を示す。ハンドル１２と、バックプレート１４と、ラバー２２を装着したチャンネル１６は在来のスクイジー１０で使用されていたものである。改造用部品として台座２３付きの芯部材２４と、含浸体２６と、ねじ２８が追加されている。芯部材２４と含浸体２６とでウォッシャー３０を構成する。図１では芯部材２４と含浸体２６は下面側（裏面側）を示している。ねじ２８は在来のスクイジー１０（図２）で使用されていたねじ１８に代わるもので、在来のねじ１８よりも長尺のものである。台座２３内にはねじ２８の端部をねじ込むねじ穴２３ｃ（図５、図１０）が形成されているので、在来のスクイジー１０で使用されていたナット２０はこの実施の形態では使用しない。
【００１５】
芯部材２４の構成について説明する。芯部材２４はチャンネル１６と同程度の長さを有する例えば３ｍｍ程度の板厚を有するアルミ平板等で構成される。芯部材２４の面には軽量化のために多数の穴２４ａが打ち抜かれている。芯部材２４の下面の長手方向中央部には２個の台座２３が突出形成されている。この台座２３はこの実施の形態ではブラインドナットで構成している。ブラインドナットは頭部にフランジが形成され内面下部に雌ねじを切ってねじ穴が形成された筒状の締結部品で、板状部材に形成した穴に差し込んで工具でかしめて該板状部材に取り付けられるものである。この実施の形態では、図５に工程（１）で示すように、芯部材２４にブラインドナット２３よりもわずかに大径の丸穴２４ｂを２箇所形成するとともに、芯部材２４の上面にブラインドナット２３のフランジ２３ａを収容するための円形の凹所２４ｃを丸穴２４ｂと同軸に形成する。本出願人の調査によれば、ハンドル１２の２箇所のねじ通し穴１２ｃの配置間隔（＝バックプレート１４の２箇所のねじ通し穴１４ａの配置間隔）はメーカーが異なっても同一であるものが多いことが分かった。したがって１種類の芯部材２４を用意すれば異なるメーカーのスクイジーに組み合わせることができる。
【００１６】
次いで図５に工程（２）で示すように、各丸穴２４ｂにブラインドナット２３を差し込み、工具を用いてブラインドナット２３に軸方向に圧力を加えることにより、ブラインドナット２３の薄肉部２３ｂが外側に広がって丸穴２４ｂに圧接される。このようにして、２個のブラインドナット２３が芯部材２４に取り付けられて一体化され、２個の台座２３が一体に取り付けられた芯部材２４が作られる。台座２３の内面下部には雌ねじが切られてねじ穴２３ｃが形成されている。
【００１７】
含浸体２６は表面側を起毛した布を袋状に縫製して作られている。ただしこの実施の形態では洗浄液の含水量を少なくして軽量化するために、袋の裏側（ハンドル１２のヘッド部１２ａに対面する側）は大きく切り取られている。すなわち含浸体２６は芯部材２４の表面側だけに配置されたパッド（当て布）状に構成されている（図１、図１０参照）。含浸体２６の裏面側の長手方向の複数箇所にはゴム紐３２が縫いつけられている。含浸体２６とゴム紐３２の間に芯部材２４を通すことにより芯部材２４に含浸体２６が被せられる。芯部材２４をハンドル１２に取り付けた状態で含浸体２６を芯部材２４に着脱できるようにするために、全ゴム紐３２のうち左右一方側に位置するものは２分割とされ、含浸体２６を芯部材２４に被せた後に結び合わされる。
【００１８】
図１の構成部品を使用してスクイジー・ウォッシャー一体型掃除用具を組み立てる手順を説明する。ハンドル１２のヘッド部１２ａの下面にバックプレート１４を配置し、ヘッド部１２ａとバックプレート１４の間にチャンネル１６を挟み込み、ヘッド部１２ａの上面にチャンネル１６と平行に芯部材２４を配置し、２本のねじ２８をバックプレート１４の下面側からねじ通し穴１４ａ，１２ｃに通して台座２３のねじ穴２３ｃにねじ込んで締め付ける。これによりハンドル１２と、バックプレート１４と、チャンネル１６と、芯部材２４が組み立てられて分解可能に一体化される。図６、図７はこのようにして組み立てられた、含浸体２６を装着する前の構造体を上面側、下面側から見た状態をそれぞれ示す。
【００１９】
次いで芯部材２４の長手方向一方側の部分を含浸体２６とゴム紐３２との間に通して芯部材２４に含浸体２６を被せ、芯部材２４の長手方向他方側の部分に２分割されたゴム紐３２を掛けて結ぶことにより、芯部材２４に含浸体２６を取り付ける。これで組み立てを完了する。図８、図９はこのようにして組み立てたスクイジー・ウォッシャー一体型掃除用具３４を上面側、下面側から見た状態をそれぞれ示す。また図１０は適宜の位置で切断したその断面図を示す。このようにして完成したスクイジー・ウォッシャー一体型掃除用具３４は、ハンドル１２を握ったまま半回転させることにより、スクイジー側とウォッシャー側を切り換えて使用することができる。またスクイジー単体として使用したいときは、一旦分解して図３、図４のように組み直せばよい。
【００２０】
なお前記第１の改造方法の実施の形態では台座２３にねじ穴２３ｃを形成してこのねじ穴２３ｃにねじ２８をねじ込むようにしたが、これに代えて台座２３と芯部材２４にそれぞれねじ通し穴を形成し、芯部材２４の上面側から各ねじ通し穴にねじを通してバックプレート１４の下面側に突出するねじの端部にナットをねじ込んで締め付けることにより組み立てることもできる。また前記第１の改造方法の実施の形態では台座２３を芯部材２４に一体に設けたが、別体とすることもできる。この場合は台座２３と芯部材２４にそれぞれねじ通し穴を形成し、芯部材２４の上面側から各ねじ通し穴にねじを通してバックプレート１４の下面側に突出するねじの端部にナットをねじ込んで締め付けることにより組み立てることができる。
【００２１】
《第２の改造方法の実施の形態》
この発明の第２の改造方法の実施の形態を説明する。この第２の改造方法の実施の形態は前記第１の改造方法の実施の形態で使用した構成部品をそっくりそのまま使用して、バックプレート１４の下面側にウォッシャー３０を配置するものである。図１１はこの第２の改造方法の実施の形態によるスクイジー・ウォッシャー一体型掃除用具３６を前記図１０と同じ位置で切断した断面図を示す。第１の改造方法の実施の形態と共通する部分には同一の符号を用いる。スクイジー・ウォッシャー一体型掃除用具３６を組み立てる手順を説明する。ハンドル１２のヘッド部１２ａの下面にバックプレート１４を配置し、ヘッド部１２ａとバックプレート１４の間にチャンネル１６を挟み込み、バックプレート１４の下面にチャンネル１６と平行に芯部材２４を配置し、２本のねじ２８をハンドル１２のヘッド部１２ａの上面側からねじ通し穴１２ｃ，１４ａに通して台座２３のねじ穴２３ｃにねじ込んで締め付ける。これによりハンドル１２と、バックプレート１４と、チャンネル１６と、芯部材２４が組み立てられて分解可能に一体化される。
【００２２】
次いで前記第１の改造方法の実施の形態と同様に、芯部材２４の長手方向一方側の部分を含浸体２６とゴム紐３２との間に通して芯部材２４に含浸体２６を被せ、芯部材２４の長手方向他方側の部分に２分割されたゴム紐３２を掛けて結ぶことにより、芯部材２４に含浸体２６を取り付ける。これで組み立てを完了する。このようにして完成したスクイジー・ウォッシャー一体型掃除用具３６は、ハンドル１２を握って、図１１に示すように含浸体２６とラバー２２がガラス表面３８に同時に当たる姿勢に保って矢印Ａ方向に引くことにより、洗浄液を含ませた含浸体２６でガラス表面３８に洗浄液を塗りながら、同時にラバー２２でガラス表面３８から洗浄液を掻き落とすことができるので、洗浄液の塗布と書き落としを別工程で行う場合に比べて非常に効率よく掃除作業を行うことができる。このスクイジー・ウォッシャー一体型掃除用具３６をスクイジー単体として使用したいときは前記第１の改造方法の実施の形態と同様に、一旦分解して図３、図４のように組み直せばよい。
【００２３】
なお前記第２の改造方法の実施の形態では台座２３にねじ穴２３ｃを形成してこのねじ穴２３ｃにねじ２８をねじ込むようにしたが、これに代えて台座２３と芯部材２４にそれぞれねじ通し穴を形成し、芯部材２４の下面側から各ねじ通し穴にねじを通してハンドル１２のヘッド部１２ａの上面側に突出するねじの端部にナットをねじ込んで締め付けることにより組み立てることもできる。また前記第２の改造方法の実施の形態では台座２３を芯部材２４に一体に設けたが、別体とすることもできる。この場合は台座２３と芯部材２４にそれぞれねじ通し穴を形成し、芯部材２４の下面側から各ねじ通し穴にねじを通してハンドル１２のヘッド部１２ａの上面側に突出するねじの端部にナットをねじ込んで締め付けることにより組み立てることができる。
【００２４】
《第３の改造方法の実施の形態》
この発明の第３の改造方法の実施の形態を説明する。図１２はこの第３の改造方法の実施の形態によるスクイジー・ウォッシャー一体型掃除用具４０を前記図１０、図１１と同じ位置で切断した断面図を示す。この第３の改造方法の実施の形態はハンドル１２のヘッド部１２ａの上面とバックプレート１４の下面にウォッシャー３０’，３０をそれぞれ配置するものである。第１、第２の改造方法の実施の形態と共通する部分には同一の符号を用いる。バックプレート１４の下面側のウォッシャー３０は第１、第２の改造方法の実施の形態で使用したものと同じである。ハンドル１２のヘッド部１２ａの上面側のウォッシャー３０’は台座２３に形成する穴をねじ穴２３ｃに代えてねじ通し穴２３ｃ’としたこと以外はウォッシャー３０と同じである。ねじ２８’は第１、第２の改造方法の実施の形態で使用したねじ２８よりも長尺のものである。スクイジー・ウォッシャー一体型掃除用具４０を組み立てる手順を説明する。ハンドル１２のヘッド部１２ａの下面にバックプレート１４を配置し、ヘッド部１２ａとバックプレート１４の間にチャンネル１６を挟み込み、ヘッド部１２ａの上面にチャンネル１６と平行に芯部材２４を配置し、バックプレート１４の下面にチャンネル１６と平行に芯部材２４を配置し、２本のねじ２８’をヘッド部１２ａの上面側の芯部材２４の上面側からねじ通し穴２３ｃ，１２ｃ，１４ａに通して、バックプレート１４の下面側の芯部材２４の台座２３のねじ穴２３ｃにねじ込んで締め付ける。これによりハンドル１２と、バックプレート１４と、チャンネル１６と、上下の芯部材２４，２４が組み立てられて分解可能に一体化される。
【００２５】
次いで前記第１、第２の改造方法の実施の形態と同様に、芯部材２４の長手方向一方側の部分を含浸体２６とゴム紐３２との間に通して芯部材２４に含浸体２６を被せ、芯部材２４の長手方向他方側の部分に２分割されたゴム紐３２を掛けて結ぶことにより、芯部材２４に含浸体２６を取り付ける。この含浸体２６の取り付けを上下の芯部材２４についてそれぞれ行う。これで組み立てを完了する。このようにして完成したスクイジー・ウォッシャー一体型掃除用具４０は、作業形態に応じて作業者がウォッシャー３０，３０’の一方を任意に選択して洗浄液の塗布作業を行うことができる。バックプレート１４の下面側のウォッシャー３０を使用する場合は、前記第２の改造方法の実施の形態と同様に、ウォッシャー３０でガラス表面３８に洗浄液を塗りながら、同時にラバー２２でガラス表面３８から洗浄液を掻き落とすことができる。このスクイジー・ウォッシャー一体型掃除用具４０をスクイジー単体として使用したいときは前記第１、第２の改造方法の実施の形態と同様に、一旦分解して図３、図４のように組み直せばよい。
【００２６】
なお市販のスクイジーとしてワンタッチでチャンネルの着脱をできるようにしたものがあるが（例えばＵＮＧＥＲ社製、ＥＴＴＯＲＥ社製の各Ｑｕｉｃｋ  Ｒｅｌｅａｓｅ式ハンドル）これらも基本的には２本のねじと２個のナットでハンドルとバックプレートをねじ止めしかつハンドルのヘッド部とバックプレートの間に、ラバーを装着したチャンネルを挟持する構造を有するものであり、本願発明の各改造方法を利用してスクイジー・ウォッシャー一体型掃除用具に改造することができる。
【符号の説明】
【００２７】
１０…スクイジー、１２…ハンドル、１２ａ…ハンドルのヘッド部、１２ｃ，１４ａ…ねじ通し穴、１４…バックプレート、１６…チャンネル、１８…ねじ（ねじ止め具）、２０…ナット（ねじ止め具）、２２…ラバー、２３…台座、２３ｃ…ねじ穴、２３ｃ’…ねじ通し穴、２４…芯部材、２６…含浸体、２８，２８’…ねじ（長尺のねじ）、３０，３０’…ウォッシャー、３４，３６，４０…スクイジー・ウォッシャー一体型掃除用具、３８…ガラス表面
【図１】
2010213732.tif 000003
【図２】
2010213732.tif 000004
【図３】
2010213732.tif 000005
【図４】
2010213732.tif 000006
【図５】
2010213732.tif 000007
【図６】
2010213732.tif 000008
【図７】
2010213732.tif 000009
【図８】
2010213732.tif 000010
【図９】
2010213732.tif 000011
【図１０】
2010213732.tif 000012
【図１１】
2010213732.tif 000013
【図１２】
2010213732.tif 000014
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体を外面に装備する棒状のウォッシャーを用意し、
該ウォッシャーには該ウォッシャーが前記ハンドルの上面側に配置されたときに該ハンドルのヘッド部のねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記ウォッシャーを前記ハンドルのヘッド部の上面に配置し、前記ウォッシャーのねじ穴またはねじ通し穴と前記ハンドルのヘッド部のねじ通し穴と前記バックプレートのねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化する改造方法。
【請求項２】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーを具備し、
該ウォッシャーは、前記ハンドルの上面側に着脱自在に装着されるものであって、前記ハンドルの上面側に配置されたときに該ハンドルのヘッド部のねじ通し穴に対面する少なくとも２箇所の位置にねじ穴またはねじ通し穴を有するものである改造用部品。
【請求項３】
前記ウォッシャーが、剛性を有しかつ前記ねじ穴またはねじ通し穴が形成された棒状の芯部材と、該芯部材の外面に装備される含浸体とを具備する請求項２記載の改造用部品。
【請求項４】
前記ウォッシャーが、剛性を有しかつ前記ねじ穴またはねじ通し穴が形成された棒状の芯部材と、該芯部材に着脱自在に被せられる含浸体とを具備する請求項２記載の改造用部品。
【請求項５】
前記芯部材の下面と前記ハンドルのヘッド部の上面との間に挟み込まれて、かつ前記ねじが通されて、該芯部材を該ヘッド部の上面に空隙を隔てて配置する台座をさらに具備している請求項３または４記載の改造用部品。
【請求項６】
前記芯部材はその下面に、該芯部材の下面と前記ハンドルのヘッド部の上面との間に挟み込まれて該芯部材を該ヘッド部の上面に空隙を隔てて配置する台座を一体に具備し、該台座には前記ねじ穴またはねじ通し穴が形成されている請求項３または４記載の改造用部品。
【請求項７】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体を外面に装備する棒状のウォッシャーを用意し、
該ウォッシャーには該ウォッシャーが前記バックプレートの下面側に配置されたときに該バックプレートのねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記ウォッシャーを前記バックプレートの下面に配置し、前記ウォッシャーのねじ穴またはねじ通し穴と前記バックプレートのねじ通し穴と前記ハンドルのヘッド部のねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化する改造方法。
【請求項８】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーを具備し、
該ウォッシャーは、前記バックプレートの下面側に着脱自在に装着されるものであって、前記バックプレートの下面側に配置されたときに該バックプレートのねじ通し穴に対面する少なくとも２箇所の位置にねじ穴またはねじ通し穴を有するものである改造用部品。
【請求項９】
前記ウォッシャーが、剛性を有しかつ前記ねじ穴またはねじ通し穴が形成された棒状の芯部材と、該芯部材の外面に装備される含浸体とを具備する請求項８記載の改造用部品。
【請求項１０】
前記ウォッシャーが、剛性を有しかつ前記ねじ穴またはねじ通し穴が形成された棒状の芯部材と、該芯部材に着脱自在に被せられる含浸体とを具備する請求項８記載の改造用部品。
【請求項１１】
前記芯部材の上面と前記バックプレートの下面との間に挟み込まれて、かつ前記ねじが通されて、該芯部材を該バックプレートの下面に空隙を隔てて配置する台座をさらに具備している請求項９または１０記載の改造用部品。
【請求項１２】
前記芯部材はその上面に、該芯部材の上面と前記バックプレートの下面との間に挟み込まれて該芯部材を該バックプレートの下面に空隙を隔てて配置する台座を一体に具備し、該台座には前記ねじ穴またはねじ通し穴が形成されている請求項９または１０記載の改造用部品。
【請求項１３】
ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、
洗浄液を含浸させる含浸体をそれぞれ外面に装備する棒状の第１、第２のウォッシャーを用意し、
該第１のウォッシャーには該第１のウォッシャーが前記ハンドルの上面側に配置されたときに該ハンドルのヘッド部のねじ通し穴に対面する少なくとも２箇所の位置にねじ穴またはねじ通し穴を形成し、
該第２のウォッシャーには該第２のウォッシャーが前記バックプレートの下面側に配置されたときに該バックプレートのねじ通し穴に対面する少なくとも２箇所の位置にねじ穴またはねじ通し穴を形成し、
該ハンドルのヘッド部の下面に前記バックプレートを配置し、該ハンドルのヘッド部と該バックプレートの間に前記チャンネルを挟み込み、前記第１のウォッシャーを前記ハンドルのヘッド部の上面に配置し、前記第２のウォッシャーを前記バックプレートの下面に配置し、前記第１のウォッシャーのねじ穴またはねじ通し穴と前記ハンドルのヘッド部のねじ通し穴と前記バックプレートのねじ通し穴と前記第２のウォッシャーのねじ穴またはねじ通し穴の位置を相互に合わせてねじを通して、前記ハンドルと前記バックプレートと前記第１、第２のウォッシャーを少なくとも２箇所で相互にねじ止めして、該ハンドルと該バックプレートと該チャンネルと該第１、第２のウォッシャーを分解可能に一体化する改造方法。
【請求項１４】
ハンドルと、該ハンドルのヘッド部の下面に配置されるバックプレートと、前記ハンドルのヘッド部と前記バックプレートの間に挟み込まれる、ラバーを装着したチャンネルとを有し、前記ハンドルのヘッド部と前記バックプレートの対面する少なくとも２箇所の位置にそれぞれ形成されたねじ通し穴にそれぞれねじを貫通させて、該ハンドルと該バックプレートとを相互に連結しかつ該ハンドルのヘッド部と該バックプレートの間に前記チャンネルを挟持して該ハンドルと該バックプレートと該チャンネルを分解可能に一体化する構造を有するスクイジーをスクイジー・ウォッシャー一体型掃除用具に改造する方法であって、
洗浄液を含浸させる含浸体を外面に装備する棒状のウォッシャーを用意する工程と、
前記ハンドルのヘッド部と前記バックプレートの間に前記チャンネルを配置する工程と、
前記ハンドルのヘッド部の上面側と前記バックプレートの下面側のいずれか一方または両方に前記ウォッシャーを配置する工程と、
前記ハンドルのヘッド部および前記バックプレートに形成されたねじ通し穴にねじを貫通させて前記ハンドルと前記バックプレートとを相互に連結しかつ該ハンドルのヘッド部と該バックプレートの間に前記チャンネルを挟持し、かつ該ねじで前記ウォッシャーを前記ハンドルのヘッド部の上面側と前記バックプレートの下面側のいずれか一方または両方に装着して、該ハンドルと該バックプレートと該チャンネルと該ウォッシャーを一体化する工程と
を具備してなる改造方法。
【手続補正２】
【補正対象書類名】明細書
【補正対象項目名】０００９
【補正方法】変更
【補正の内容】
【０００９】
この発明の第１の改造方法は、ハンドルと、該ハンドルのヘッド部の下面に配置されるバックプレート（裏板）と、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法であって、洗浄液を含浸させる含浸体を外面に装備する棒状のウォッシャーを用意し、該ウォッシャーには該ウォッシャーが前記ハンドルの上面側に配置されたときに該ハンドルのヘッド部のねじ通し穴に対面する少なくとも２箇所の位置にねじ穴（雌ねじが形成され雄ねじをねじ込む穴）またはねじ通し穴（雄ねじをねじ込まずに通す穴）を形成し、該ハンドルのヘッド部の下面に前記バックプレートを配置し、該ハンドルのヘッド部と該バックプレートの間に前記チャンネルを挟み込み、前記ウォッシャーを前記ハンドルのヘッド部の上面に配置し、前記ウォッシャーのねじ穴またはねじ通し穴と前記ハンドルのヘッド部のねじ通し穴と前記バックプレートのねじ通し穴の位置を相互に合わせてねじを通して、前記ハンドルと前記バックプレートと前記ウォッシャーを少なくとも２箇所で相互にねじ止めして、該ハンドルと該バックプレートと該チャンネルと該ウォッシャーを分解可能に一体化するものである。この発明の第２の改造方法は、ウォッシャーをバックプレートの下面に配置するものである。この発明の第３の改造方法は、ウォッシャーをハンドルのヘッド部の上面とバックプレートの下面にそれぞれ配置するものである。またこの発明の改造方法は、ハンドルと、該ハンドルのヘッド部の下面に配置されるバックプレートと、前記ハンドルのヘッド部と前記バックプレートの間に挟み込まれる、ラバーを装着したチャンネルとを有し、前記ハンドルのヘッド部と前記バックプレートの対面する少なくとも２箇所の位置にそれぞれ形成されたねじ通し穴にそれぞれねじを貫通させて、該ハンドルと該バックプレートとを相互に連結しかつ該ハンドルのヘッド部と該バックプレートの間に前記チャンネルを挟持して該ハンドルと該バックプレートと該チャンネルを分解可能に一体化する構造を有するスクイジーをスクイジー・ウォッシャー一体型掃除用具に改造する方法であって、洗浄液を含浸させる含浸体を外面に装備する棒状のウォッシャーを用意する工程と、前記ハンドルのヘッド部と前記バックプレートの間に前記チャンネルを配置する工程と、前記ハンドルのヘッド部の上面側と前記バックプレートの下面側のいずれか一方または両方に前記ウォッシャーを配置する工程と、前記ハンドルのヘッド部および前記バックプレートに形成されたねじ通し穴にねじを貫通させて前記ハンドルと前記バックプレートとを相互に連結しかつ該ハンドルのヘッド部と該バックプレートの間に前記チャンネルを挟持し、かつ該ねじで前記ウォッシャーを前記ハンドルのヘッド部の上面側と前記バックプレートの下面側のいずれか一方または両方に装着して、該ハンドルと該バックプレートと該チャンネルと該ウォッシャーを一体化する工程とを具備してなるものである。
【手続補正３】
【補正対象書類名】明細書
【補正対象項目名】００１０
【補正方法】変更
【補正の内容】
【００１０】
この改造方法によれば、在来のスクイジーを所有している者は、この発明による改造用部品を購入すれば、スクイジー・ウォッシャー一体型掃除用具に改造することができる。また現在スクイジーを所有していない者であって、スクイジーとスクイジー・ウォッシャー一体型掃除用具の双方を欲しい者は、在来のスクイジーとこの発明による改造用部品を購入すれば、スクイジーとスクイジー・ウォッシャー一体型掃除用具の両方に使うことができる。また現在市販のスクイジー・ウォッシャー一体型掃除用具はハンドルが２本に枝分かれしていてそれぞれスクイジーとウォッシャーを支持するように構成されているので、ハンドルの重量がスクイジー専用品のハンドルに比べて増加し、作業者の負担が大きかったが、この発明の改造方法（特に第１、第２の改造方法）によればスクイジー専用品のハンドルをそのまま利用するので、ハンドルの重量の増加が無く、作業者の負担を軽減することができる。またこの発明の第３の改造方法によればチャンネルの上下両側にウォッシャーが配置されているので、作業形態に応じてウォッシャーを選択して使用することができる。
なおこの出願で開示する改造用部品には、特許請求の範囲に記載したもの以外に次が含まれている。
・ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーの構成部品であって、剛性を有し、前記ハンドルの上面側に着脱自在に装着され、前記含浸体が着脱自在に被せられる棒状の芯部材を具備し、
該芯部材は前記ハンドルの上面側に配置されたときに前記ハンドルのヘッド部のねじ通し穴に対面する少なくとも２箇所の位置にねじ穴またはねじ通し穴を有するものである改造用部品。
・ハンドルと、該ハンドルのヘッド部の下面に配置されるバックプレートと、前記ハンドルのヘッド部と前記バックプレートの間に挟み込まれる、ラバーを装着したチャンネルと、前記ハンドルのヘッド部と前記バックプレートの対面する少なくとも２箇所の位置にそれぞれ形成されたねじ通し穴にそれぞれねじを貫通させて該各ねじの突出端にナットをねじ込むことにより、該ハンドルと該バックプレートとを相互にねじ止めしかつ該ハンドルのヘッド部と該バックプレートの間に前記チャンネルを挟持して該ハンドルと該バックプレートと該チャンネルを分解可能に一体化するねじ止め具とを有するスクイジーをスクイジー・ウォッシャー一体型掃除用具に改造する方法に使用される改造用部品であって、
洗浄液を含浸させる含浸体を外面に装備する棒状のウォッシャーの構成部品であって、剛性を有し、前記バックプレートの下面側に着脱自在に装着され、前記含浸体が着脱自在に被せられる棒状の芯部材を具備し、
該芯部材は前記バックプレートの下面側に配置されたときに前記バックプレートのねじ通し穴に対面する少なくとも２箇所の位置にねじ穴またはねじ通し穴を有するものである改造用部品。
・前記ねじ穴またはねじ通し穴に差し込むねじとして、改造前のスクイジーにおいて前記ハンドルと前記バックプレートと前記チャンネルを一体化するのに使用されていた前記ねじよりも長尺のねじをさらに具備する。
【手続補正４】
【補正対象書類名】明細書
【補正対象項目名】００２４
【補正方法】変更
【補正の内容】
【００２４】
《第３の改造方法の実施の形態》
この発明の第３の改造方法の実施の形態を説明する。図１２はこの第３の改造方法の実施の形態によるスクイジー・ウォッシャー一体型掃除用具４０を前記図１０、図１１と同じ位置で切断した断面図を示す。この第３の改造方法の実施の形態はハンドル１２のヘッド部１２ａの上面とバックプレート１４の下面にウォッシャー３０’，３０をそれぞれ配置するものである。第１、第２の改造方法の実施の形態と共通する部分には同一の符号を用いる。バックプレート１４の下面側のウォッシャー３０は第１、第２の改造方法の実施の形態で使用したものと同じである。ハンドル１２のヘッド部１２ａの上面側のウォッシャー３０’は台座２３に形成する穴をねじ穴２３ｃに代えてねじ通し穴２３ｃ’としたこと以外はウォッシャー３０と同じである。ねじ２８’は第１、第２の改造方法の実施の形態で使用したねじ２８よりも長尺のものである。スクイジー・ウォッシャー一体型掃除用具４０を組み立てる手順を説明する。ハンドル１２のヘッド部１２ａの下面にバックプレート１４を配置し、ヘッド部１２ａとバックプレート１４の間にチャンネル１６を挟み込み、ヘッド部１２ａの上面にチャンネル１６と平行に芯部材２４を配置し、バックプレート１４の下面にチャンネル１６と平行に芯部材２４を配置し、２本のねじ２８’をヘッド部１２ａの上面側の芯部材２４の上面側からねじ通し穴２３ｃ’，１２ｃ，１４ａに通して、バックプレート１４の下面側の芯部材２４の台座２３のねじ穴２３ｃにねじ込んで締め付ける。これによりハンドル１２と、バックプレート１４と、チャンネル１６と、上下の芯部材２４，２４が組み立てられて分解可能に一体化される。